【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
所定規格によって裁断されて備えられる本文部、
前記本文部の前面を覆う表表紙部と前記本文部の後面を覆う裏表紙部を含む表紙部、
外部から筆記具が見えるように前記本文部の小口側に形成され、前記本文部の小口側に筆記具の長さの方向に沿って形成される筆記具収納溝、
および前記表表紙部の外側又は前記裏表紙部の外側のうち、少なくとも一つ以上の外側を左右方向に巻いて留めるように備えられ、弾性力のある紐からなるバンド、を含むことを特徴とする、
筆記具収納溝のある本。
【請求項２】
前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成され、前記バンドは前記表紙部の最上端側から最下端側までの上下方向の長さに沿って３等分した場合、前記３等分した領域の中間領域に形成されることを特徴とする請求項１に記載の筆記具収納溝のある本。
【請求項３】
所定規格によって裁断されて備えられる本文部、
前記本文部の前面を覆う表表紙部と前記本文部の後面を覆う裏表紙部を含む表紙部、
外部から筆記具が見えるように前記本文部の小口側に形成され、前記本文部の小口側に筆記具の長さの方向に沿って形成される筆記具収納溝、
および前記表表紙部の外側又は前記裏表紙部の外側のうち、少なくとも一つ以上の外側を対角線方向に巻いて留めるように備えられ、弾性力のある紐からなるバンド、を含むことを特徴とする、
筆記具収納溝のある本。
【請求項４】
所定の規格によって裁断されて備えられる本文部、
前記本文部の前面を覆う表表紙部と前記本文部の後面を覆う裏表紙部を含む表紙部、
外部から筆記具が見えるように形成され、前記筆記具の長さ方向に沿って形成される筆記具収納溝、
および前記表表紙部の外側又は前記裏表紙部の外側のうち、少なくとも一つ以上の外側を巻いて留めるように備えられ、弾性力のある紐からなるバンド、を含むことを特徴とする、
筆記具収納溝のある本。
【請求項５】
所定規格によって裁断されて備えられる本文部、
前記本文部の前面を覆う表表紙部と前記本文部の後面を覆う裏表紙部を含む表紙部、
外部から筆記具が見えるように前記本文部の小口側に形成され、前記本文部の小口側に筆記具の長さの方向に沿って形成される筆記具収納溝、
および前記表表紙部の外側又は前記裏表紙部の外側のうち、少なくとも一つ以上の外側を本の上下方向に巻いて留めるように備えられ、弾性力のある紐からなるバンド、を含み、
前記本文部には使用者の選択によって筆記具収納溝の厚さが調節できる切断可能面が形成されることを特徴とする、
筆記具収納溝のある本。
【請求項６】
所定規格によって裁断されて備えられる本文部、
前記本文部の前面を覆う表表紙部と前記本文部の後面を覆う裏表紙部を含む表紙部、
外部から筆記具が見えるように形成され、前記筆記具の長さの方向に沿って形成される筆記具収納溝、
および前記表表紙部の外側又は前記裏表紙部の外側のうち、少なくとも一つ以上の外側を本の左右方向に巻いて留めるように備えられ、弾性力のある紐からなるバンド、を含み、
前記筆記具収納溝は本を閉じたときに筆記具が外に落ちないように、前記表表紙部又は前記本文部が本の前方から前記筆記具に圧力を加え、
前記裏表紙部又は前記本文部が本の後方から前記筆記具に圧力を加えられる厚さで形成され、
前記筆記具収納溝は前記本文部の最上端側に形成され、
前記バンドは本の真ん中の横方向を基準として本の上端部に位置することを特徴とする、
筆記具収納溝のある本。
【請求項７】
所定規格によって裁断されて備えられる本文部、
前記本文部の前面を覆う表表紙部と前記本文部の後面を覆う裏表紙部を含む表紙部、
外部から筆記具が見えるように形成され、前記筆記具の長さの方向に沿って形成される筆記具収納溝、
および前記表表紙部の外側又は前記裏表紙部の外側のうち、少なくとも一つ以上の外側を本の上下方向に巻いて留めるように備えられ、弾性力のある紐からなるバンド、を含み、
前記筆記具収納溝は本を閉じたときに筆記具が外に落ちないように、前記表表紙部又は前記本文部が本の前方から前記筆記具に圧力を加え、
前記裏表紙部又は前記本文部が本の後方から前記筆記具に圧力を加えられる厚さで形成され、
前記筆記具収納溝は前記本文部の最上端側に形成されることを特徴とする、
筆記具収納溝のある本。
【請求項８】
所定規格によって裁断されて備えられる本文部、
前記本文部の前面を覆う表表紙部と前記本文部の後面を覆う裏表紙部を含む表紙部、
外部から筆記具が見えるように形成され、前記筆記具の長さの方向に沿って形成される筆記具収納溝、
および前記表表紙部の外側又は前記裏表紙部の外側のうち、少なくとも一つ以上の外側を本の対角線方向に巻いて留めるように備えられ、弾性力のある紐からなるバンド、を含み、
前記筆記具収納溝は本を閉じたときに筆記具が外に落ちないように、前記表表紙部又は前記本文部が本の前方から前記筆記具に圧力を加え、
前記裏表紙部又は前記本文部が本の後方から前記筆記具に圧力を加えられる厚さで形成され、
前記筆記具収納溝は前記本文部の最上端側に形成され、
前記バンドは本の真ん中の横方向を基準として本の上端部に位置することを特徴とする、
筆記具収納溝のある本。
【請求項９】
所定規格によって裁断されて備えられる本文部、
前記本文部の前面を覆う表表紙部と前記本文部の後面を覆う裏表紙部を含む表紙部、
外部から筆記具が見えるように形成され、前記筆記具の長さの方向に沿って形成される筆記具収納溝、
および本が開かないように前記表表紙部と前記裏表紙部を結合して固定する結合部材、を含み、
前記筆記具収納溝は本を閉じたときに筆記具が外に落ちないように、前記表表紙部又は前記本文部が本の前方から前記筆記具に圧力を加え、
前記裏表紙部又は前記本文部が本の後方から前記筆記具に圧力を加えられる厚さで形成され、
前記筆記具収納溝は前記本文部の小口側に形成されることを特徴とする、
筆記具収納溝のある本。
【請求項１０】
所定規格によって裁断されて備えられる本文部、
前記本文部の前面を覆う表表紙部と前記本文部の後面を覆う裏表紙部を含む表紙部、
外部から筆記具が見えるように前記本文部の小口側に形成され、前記本文部の小口側に筆記具の長さの方向に沿って形成される筆記具収納溝、
および前記表表紙部の外側又は前記裏表紙部の外側のうち、少なくとも一つ以上の外側を本の上下方向に巻いて留めるように備えられ、弾性力のある紐からなるバンド、を含むことを特徴とする、
筆記具収納溝のある本。
【請求項１１】
前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成され、前記バンドは前記表紙部の最左端側から最右端側までの左右方向の長さに沿って３等分した場合、前記３等分した領域のうち、小口側の最も近い領域に形成されることを特徴とする請求項１０に記載の筆記具収納溝のある本。
【請求項１２】
前記筆記具収納溝は前記筆記具収納溝の一側を形成する前記表紙部の本文側に筆記具の本体に密着されて前記筆記具を押さえて固定できるホルダーが含まれることを特徴とする請求項１、３、または１０のいずれか一項に記載の筆記具収納溝のある本。
【請求項１３】
前記本文部には使用者の選択によって筆記具収納溝の厚さが調節できる切断可能面が形成されることを特徴とする請求項１、３、６、７、８、または１０のいずれか一項に記載の筆記具収納溝のある本。